(57)【要約】【課題】商品情報処理装置に搭載されたコンピュータ部の高温化による動作異常を未然に防止しつつ、接客に支障をきたすことがないようにする。【解決手段】コンピュータ部の温度上昇を招く原因となるハードウェア、例えば冷却ファンの故障を監視する。そして、このハードウェアの故障が検知されると、客が購入する商品の販売情報を処理中か否かを判断する。そして、処理中であると判断された場合には、当該客が購入する全ての商品の販売情報が処理されるのを待ってハードウェアの故障を報知する。  【選択図】      図２
2006331282.tif 000002
【特許請求の範囲】
【請求項１】
コンピュータ部を有し、このコンピュータ部により客が購入する商品の販売情報を処理する商品情報処理装置において、
前記コンピュータ部の温度上昇を招く原因となるハードウェアの故障を監視する故障監視手段と、
この故障監視手段により前記コンピュータ部の温度上昇を招く原因となるハードウェアの故障が検知されると、前記客が購入する商品の販売情報を処理中か否かを判断する処理判断手段と、
この処理判断手段により処理中であると判断されると、当該客が購入する全ての商品の販売情報が処理されるのを待って前記ハードウェアの故障を報知する報知手段と、
を具備したことを特徴とする商品情報処理装置。
【請求項２】
ネットワークを介して接続された外部システムに前記ハードウェアの故障を通知する故障通知手段をさらに具備し、
この故障通知手段による故障通知は、前記故障監視手段により前記コンピュータ部の温度上昇を招く原因となるハードウェアの故障が検知された直後に、客が購入する商品の販売情報を処理中か否かに係わらず行うことを特徴とする請求項１記載の商品情報処理装置。
【請求項３】
前記ハードウェアの故障報知を解除する報知解除手段をさらに具備し、
前記ハードウェアの故障報知が解除された後、次の客が購入する商品の販売情報処理が可能になることを特徴とする請求項１または２記載の商品情報処理装置。
【請求項４】
前記故障監視手段が監視するハードウェアは、前記コンピュータ部を冷却するファンであることを特徴とする請求項１乃至３のうちいずれか１項に記載の商品情報処理装置。
【請求項５】
コンピュータ部を有し、このコンピュータ部により客が購入する商品の販売情報を処理する商品情報処理装置において、
前記コンピュータ部の温度を計測する温度計測手段と、
この温度計測手段により計測される温度が予め設定された温度を越えたか否かを判断する温度判断手段と、
この温度判断手段により前記温度が前記設定温度を越えたと判断されると、前記客が購入する商品の販売情報を処理中か否かを判断する処理判断手段と、
この処理判断手段により処理中であると判断されると、当該客が購入する全ての商品の販売情報が処理されるのを待って温度異常を報知する報知手段と、
を具備したことを特徴とする商品情報処理装置。
【請求項６】
ネットワークを介して接続された外部システムに前記温度異常を通知する異常通知手段をさらに具備し、
この異常通知手段による異常通知は、前記温度判断手段により計測温度が設定温度を越えたと判断された直後に、客が購入する商品の販売情報を処理中か否かに係わらず行うことを特徴とする請求項５記載の商品情報処理装置。
【請求項７】
前記報知手段による異常報知後、一定時間を経過するとシステム電源を強制的にオフにする電源強制オフ手段をさらに具備したことを特徴とする請求項５または６記載の商品情報処理装置。
【請求項８】
前記温度異常の報知を解除する報知解除手段と、
この報知解除手段により前記温度異常の通知が解除されると、システム電源を強制的にオフにする電源強制オフ手段と、
をさらに具備したことを特徴とする請求項５または６記載の商品情報処理装置。
【請求項９】
コンピュータ部を有し、このコンピュータ部により客が購入する商品の販売情報を処理する商品情報処理装置において、
前記コンピュータ部の温度上昇を招く原因となるハードウェアの故障を監視する故障監視手段と、
前記コンピュータ部の温度を計測する温度計測手段と、
この温度計測手段により計測される温度が予め設定された温度を越えたか否かを判断する温度判断手段と、
前記故障監視手段により前記コンピュータ部の温度上昇を招く原因となるハードウェアの故障が検知されたとき、または前記温度判断手段により前記温度が前記設定温度を越えたと判断されたとき、前記客が購入する商品の販売情報を処理中か否かを判断する処理判断手段と、
この処理判断手段により処理中であると判断されると、当該客が購入する全ての商品の販売情報が処理されるのを待って前記ハードウェアの故障または温度異常を報知する報知手段と、
前記ハードウェアの故障報知または前記温度異常の報知を解除する報知解除手段と、
を具備し、
前記報知解除手段により前記ハードウェアの故障報知が解除された場合には、次の客が購入する商品の販売情報処理を可能にし、前記温度異常の報知が解除された場合には、システム電源を強制的にオフにすることを特徴とする商品情報処理装置。
【請求項１０】
前記報知手段により前記温度異常を報知した後、前記報知解除手段によりその報知が解除されることなく一定時間を経過すると、システム電源を強制的にオフにすることを特徴とする請求項９記載の商品情報処理装置。
【請求項１１】
前記故障監視手段が監視するハードウェアは、前記コンピュータ部を冷却するファンであることを特徴とする請求項９または１０記載の商品情報処理装置。
【発明の詳細な説明】
【技術分野】
【０００１】
本発明は、コンピュータ部を有し、このコンピュータ部により客が購入する商品の販売情報を処理する電子式キャッシュレジスタ，ＰＯＳ（Point Of Sales）端末，電子料金秤等の商品情報処理装置に関し、特に、ＣＰＵの熱暴走のようにコンピュータ部の高温化による動作異常を未然に防止する手段の改良に関する。
【背景技術】
【０００２】
従来、コンピュータ部を構成するＣＰＵ若しくはその周辺の部品の温度異常が検知されたとき、システム電源を強制的にオフすることで、ＣＰＵが熱暴走してしまったり、他の部品の動作補償温度を越えてしまったりすることを未然に防ぐようにした技術は既にあった。
【０００３】
このものにおいて、温度異常が検知されたとき、そのときの作業環境を復元するために必要なデータをセーブした後に、温度異常によってシステム電源が強制的にオフされることを通知するためのメッセージ画面を表示して、ユーザに、ＣＰＵの熱暴走防止のためにコンピュータがパワーオフされることを報知するようにしたものも、既に知られている（例えば、特許文献１参照）。
【特許文献１】特開平１０−２４０３６７号公報
【発明の開示】
【発明が解決しようとする課題】
【０００４】
このように、コンピュータ部の高温化による動作異常を未然に防止する従来の技術としては、情報処理中であるか否かに係わらず温度異常が検知されると即座にそのときの作業環境を復元するために必要なデータをセーブしてシステム電源を強制的にオフする技術が一般的であった。このため、この技術を、客が購入する商品の販売情報を処理する商品情報処理装置に適用しようとしても、客が購入する商品の販売情報を処理している最中、つまりは接客中にいきなりシステムダウンしてしまうことが考えられ、客に迷惑を及ぼすこととなるので、適用が困難であった。
【０００５】
本発明はこのような事情に基づいてなされたもので、その目的とするところは、コンピュータ部の高温化による動作異常を未然に防止しつつ、接客に支障をきたすことのない商品情報処理装置を提供しようとするものである。
【課題を解決するための手段】
【０００６】
本発明は、コンピュータ部を有し、このコンピュータ部により客が購入する商品の販売情報を処理する商品情報処理装置において、コンピュータ部の温度上昇を招く原因となるハードウェア、例えば冷却ファンの故障を監視し、このハードウェアの故障が検知されると、客が購入する商品の販売情報を処理中か否かを判断して、処理中であると判断された場合には、当該客が購入する全ての商品の販売情報が処理されるのを待ってハードウェアの故障を報知するようにしたものである。  
したがって、たとえ接客中にコンピュータ部の温度上昇を招く原因となるハードウェアの故障が検知されても、接客が中止されることはない。また、接客を終了すると、直ちにハードウェアの故障が報知されるので、速やかに対策を講じることができる。
【０００７】
また本発明は、コンピュータ部の温度を計測する温度計測手段を設け、この温度計測手段により計測される温度が予め設定された温度を越えたか否かを判断し、設定温度を超えたと判断されると、客が購入する商品の販売情報を処理中か否かを判断して、処理中であると判断された場合には、当該客が購入する全ての商品の販売情報が処理されるのを待って温度異常を報知するようにしたものである。  
したがって、たとえ接客中にコンピュータ部の温度が設定温度以上に上昇しても、接客が中止されることはない。また、接客が終了すると、直ちに温度異常が報知されるので、速やかに対策を講じることができる。
【発明の効果】
【０００８】
かかる手段を講じた本発明によれば、コンピュータ部の高温化による動作異常を未然に防止しつつ、接客に支障をきたすことのない商品情報処理装置を提供できる。
【発明を実施するための最良の形態】
【０００９】
以下、本発明を実施するための最良の形態について、図面を用いて説明する。  
なお、この実施の形態は、客が購入する商品の販売情報を処理する商品情報処理装置の一例として、ＰＯＳ端末に本発明を適用した場合である。
【００１０】
図１は本実施の形態であるＰＯＳ端末の要部構成を示すブロック図であって、図中二点鎖線で囲われた領域１はＰＯＳ端末の本体を示しており、一点鎖線で囲われた領域２はコンピュータ部を示している。図示するように、コンピュータ部２は、ＰＯＳ端末の本体１内に搭載されている。
【００１１】
コンピュータ部２は、ＣＰＵ２０１，ＲＯＭ２０２，ＲＡＭ２０３，ＨＤＤ装置２０４，タイマ２０５，キーボードコントローラ２０６，通信コントローラ２０７，表示コントローラ２０８，プリンタコントローラ２０９，スキャナインターフェイス２１０，ブザー駆動回路２１１，センサ信号入力回路２１２，第１のファン駆動回路２１３及び第２のファン駆動回路２１４等で構成されている。ＣＰＵ２０１と各部２０２〜２１４とは、アドレスバス，データバス等のバスライン２１５で接続されている。
【００１２】
キーボードコントローラ２０６は、本体１外に装着されたキーボード３を制御し、操作キーに対応したキー信号を取り込んでＣＰＵ２０１に通知する。キーボード３は、置数キー，小計キー，預／現計キー，信計キー，値引キー，割引キー，乗算キー，取消キー，クリアキー等の商品登録業務に必要な各種キーを配設したものである。
【００１３】
表示コントローラ２０８は、本体１外に装着されたディスプレイ４の表示動作を制御する。ディスプレイ４は、客が購入する商品の品名及び価格や、この客の合計金額，預り金額，釣銭額等を表示可能なものである。
【００１４】
プリンタコントローラ２０９は、本体１内に装着されたプリンタ１１の印字動作を制御する。プリンタ１１は、レシート用紙に客が購入する商品の品名，価格やこの客の合計金額，預り金額，釣銭額等を印字し、レシートとして発行するものである。
【００１５】
スキャナインターフェイス２１０は、本体１外に設けられたスキャナ（不図示）で読取られたコードデータを取り込むものである。スキャナは、バーコードを読取るバーコードスキャナ、二次元データコードを読取る二次元データコードスキャナ、文字を読取るＯＣＲ等である。なお、スキャナの代わりに商品に付された無線タグから商品情報を読取る無線タグリーダを接続してもよい。
【００１６】
通信コントローラ２０７は、ネットワークを介して接続される外部コンピュータシステムとの間で行うデータ通信を制御する。外部コンピュータシステムとしては、店舗内に構築されたストアサーバシステム、本部に構築された本部サーバシステム、クレジットカード発行会社，金融機関などに構築された決済サーバシステム、保守拠点に構築された保守サーバシステム等がある。
【００１７】
第１のファン駆動回路２１３は、本体１内に設けられ、コンピュータ部２全体を冷却する本体ファン１３の駆動オン，オフを制御する。第２のファン駆動回路２１４は、コンピュータ部２に実装され、発熱体であるＣＰＵ２０１を集中的に冷却するＣＰＵファン２１６の駆動オン，オフを制御する。
【００１８】
センサ信号入力回路２１２には、それぞれ本体１内に設けられた温度センサ１４，第１のファンセンサ１５及び第２のファンセンサ１６等の各種センサからの信号が入力される。温度センサ１４は、本体１内の温度を計測しその温度に応じた信号をセンサ信号入力回路２１２に供給するもので、温度計測手段を構成する。第１のファンセンサ１５及び第２のファンセンサ１６は、それぞれ本体ファン１３及びＣＰＵファン２１６の駆動オン，オフを監視し、駆動オフつまりはファンの停止を検知するとファン停止信号をセンサ信号入力回路２１２に供給するもので、故障監視手段を構成する。
【００１９】
ブザー駆動回路２１１からは、ＣＰＵ２０１の制御により、本体１内に設けられたブザー１２を鳴動させるためのブザー信号が出力される。
【００２０】
また本体１内には、コンピュータ部２の他、キーボード３，ディスプレイ４，プリンタ１１，ブザー１２，本体ファン１３，ＣＰＵファン２１６等のハードウェアに駆動電源を供給するための電源回路１７が搭載されている。この電源回路１７は、電源スイッチ５の投入により電源供給を開始する。また、ＣＰＵ２０１から強制電源オフの指令信号が入力されると、電源供給を停止するものとなっている。
【００２１】
かかる構成のＰＯＳ端末において、ＣＰＵ２０１は、図２の流れ図に示すファン停止検知処理を実行するようにプログラム構成されている。この処理は、第１のファンセンサ１５または第２のファンセンサ１６の少なくとも一方からファン停止信号がセンサ信号入力回路２１２に入力されると実行される。
【００２２】
先ず、ＣＰＵ２０１は、ＳＴ（ステップ）１としてＲＡＭ２０３の所定メモリエリアにファン停止情報を保持しているか否かを判断する。当初は保持していないので、ＣＰＵ２０１は、ＳＴ２として冷却ファンが停止したことを知らせるファン停止情報を、予め通知先として設定された外部コンピュータシステム例えば保守サーバシステムに、通信コントローラ２０７を介して送信する（故障通知手段）。また、ＳＴ３として上記ファン停止情報をＲＡＭ２０３の所定メモリエリアに書込み、保持する。しかる後、ＳＴ４の処理に進む。
【００２３】
なお、ＲＡＭ２０３の所定メモリエリアにファン停止情報を保持していた状態で、第１のファンセンサ１５または第２のファンセンサ１６の少なくとも一方からファン停止信号が入力された場合には、ＳＴ２，ＳＴ３の処理を行わずにＳＴ４の処理に進む。
【００２４】
ＳＴ４では、ＣＰＵ２０１は、客との商取引に関する情報を処理中か否かを判断する。この処理は、例えば１客が買い上げる商品の１点目の登録に応じてセットされ、その後の登録締め操作により商取引が決済されたことに応じてリセットされる登録中フラグの状態により判別する（処理判断手段）。
【００２５】
ここで、登録中フラグがセットされている、つまりは処理中であると判断された場合には、ＣＰＵ２０１は、ＳＴ５としてこの処理が終了されるまで待機する。そして、ＳＴ５にて登録中フラグがリセットされたこと、つまりは商取引の終了を確認した場合、あるいはＳＴ４にて登録中フラグがリセットされていること、つまりは商取引処理中でないことを確認した場合には、ＣＰＵ２０１は、ＳＴ６として冷却ファンが停止したことをオペレータに知らせる警告メッセージのポップアップ画面をディスプレイ４に表示させる（報知手段）。また、ＳＴ７としてブザー１２から所定の警告音を鳴動させる。
【００２６】
上記警告メッセージポップアップ画面の一例を図４に示す。図示するようにこの画面には、「ファンが停止したため、電源をオフし、サービスマンを呼んでください」なる警告メッセージと、この画面を確認したならばクリアキー（Ｃキー）を操作することを促す表示がなされている。
【００２７】
そこでＣＰＵ２０１は、ＳＴ８として確認操作つまりはクリアキーが操作されるのを待機する。そして、キーボード３のクリアキーが操作されたことを検知すると、ＣＰＵ２０１は、ＳＴ９としてブザー１２の警告音を停止させる。また、ＳＴ１０として上記警告メッセージポップアップ画面を消去する（報知解除手段）。
【００２８】
しかる後、ＣＰＵ２０１は、ＳＴ１１として次の客との商取引処理が開始されたか、ＳＴ１２として電源スイッチ５がオフ操作されたか、ＳＴ１３として警告メッセージポップアップ画面の消去から一定時間、例えば１分が経過したかを判断する。
【００２９】
ここで、キーボード３またはスキャナからの入力により次の客が買上げる商品の１点目の登録が行われると、次の商取引が開始されたので、ＣＰＵ２０１は、ＳＴ４の判断処理に戻る。したがってこの場合には、次の客との商取引処理が終了するのを待って、上記警告メッセージポップアップ画面がディスプレイ４に再度表示され、オペレータにファンの停止が警告される。
【００３０】
これに対し、電源スイッチ５がオフ操作された場合には、ＣＰＵ２０１は、ＳＴ１４としてＲＡＭ２０３のデータをＨＤＤ装置２０４に保存するなどの自動シャットダウン処理を行って、今回のファン停止検知処理を終了する。したがってこの場合には、ＰＯＳ端末が電源オフ状態となり、ファンの修理が可能となる。
【００３１】
また、電源スイッチ５がオフ操作されず、しかも次の商取引も開始されることなく警告メッセージポップアップ画面の消去から一定時間が経過した場合には、ＣＰＵ２０１は、その時点で今回のファン停止検知処理を終了する。したがってこの場合には、ファンの故障が解消されていないので、ファン停止検知処理が再度実行されて、オペレータにファンの停止が警告される。ただし、ファン停止情報がＲＡＭ２０３に保持されたままなので、ファン停止情報が設定通知先へ重複して送信されることはない。
【００３２】
また、ＣＰＵ２０１は、図３の流れ図に示す本体内温度監視処理を実行するようにプログラム構成されている。この処理は、予め設定された時間（例えば１分）が経過する毎に周期的に実行される。
【００３３】
先ず、ＣＰＵ２０１は、ＳＴ２１として温度センサ１４により計測されている本体１内の温度Ｄを取得する。次に、ＣＰＵ２０１は、ＳＴ２２としてこの計測温度Ｄが予め設定されているしきい値温度ＳＨＬを超えたか否かを判断する（温度判断手段）。計測温度Ｄがしきい値温度ＳＨＬを超えていない場合には、今回の本体内温度監視処理を終了する。
【００３４】
一方、計測温度Ｄがしきい値温度ＳＨＬを超えていた場合には、ＣＰＵ２０１は、ＳＴ２３として本体内温度が異常温度まで上昇したことを知らせる温度異常情報を、予め通知先として設定された外部コンピュータシステム例えば保守サーバシステムに、通信コントローラ２０７を介して送信する（故障通知手段）。
【００３５】
次に、ＣＰＵ２０１は、ＳＴ２４として客との商取引に関する情報を処理中か否かを判断する。この処理は、例えば１客が買い上げる商品の１点目の登録に応じてセットされ、その後の登録締め操作により商取引が決済されたことに応じてリセットされる登録中フラグの状態により判別する（処理判断手段）。
【００３６】
ここで、登録中フラグがセットされている、つまりは処理中であると判断された場合には、ＣＰＵ２０１は、ＳＴ２５としてこの処理が終了されるまで待機する。そして、ＳＴ２５にて登録中フラグがリセットされたこと、つまりは商取引の終了を確認した場合、あるいはＳＴ２４にて登録中フラグがリセットされていること、つまりは商取引処理中でないことを確認した場合には、ＣＰＵ２０１は、ＳＴ２６として温度異常によりシャットダウン処理に移行することをオペレータに知らせる警告メッセージのポップアップ画面をディスプレイ４に表示させる（報知手段）。また、ＳＴ２７としてブザー１２から所定の警告音を鳴動させる。
【００３７】
上記警告メッセージポップアップ画面の一例を図５に示す。図示するようにこの画面には、「本体内の温度が異常温度まで上昇しましたので、自動シャットダウン処理に入ります」なる警告メッセージと、この画面を確認したならばクリアキー（Ｃキー）を操作することを促す表示がなされている。
【００３８】
そこでＣＰＵ２０１は、ＳＴ２８として確認操作つまりはクリアキーが操作されるのを待機する。そして、キーボード３のクリアキーが操作されたことを検知するか、ＳＴ２９として警告メッセージポップアップ画面の表示から一定時間、例えば１分が経過したことを確認した場合には、ＣＰＵ２０１は、ＳＴ３０としてブザー１２の警告音を停止させる。また、ＳＴ３１として上記警告メッセージポップアップ画面を消去する（報知解除手段）。
【００３９】
しかる後、ＣＰＵ２０１は、ＳＴ３２としてＲＡＭ２０３のデータをＨＤＤ装置２０４に保存するなどの自動シャットダウン処理を行い、電源回路１７に強制電源オフの指令信号Ｓ１を出力して（電源強制オフ手段）、今回の本体内温度監視処理を終了する。したがってこの場合には、ＰＯＳ端末が電源オフ状態となり、本体１内の温度を低下させることができる。
【００４０】
このように構成された本実施の形態のＰＯＳ端末においては、稼働中に本体ファン１３またはＣＰＵファン２１６の少なくとも一方が停止する故障が発生すると、冷却ファンが停止したことを知らせるファン停止情報が、予め通知先として設定された外部コンピュータシステムにネットワークを介して送信される。したがって、例えば保守サーバシステムを通知先として予め設定しておくことによって、ファン停止の故障が発生した場合には、即座に保守サーバシステム側にファンの故障を通知することができるので、サービスマンによる迅速な対応が期待できる。
【００４１】
また、稼働中に本体ファン１３またはＣＰＵファン２１６の少なくとも一方が停止する故障が発生すると、客が購入する商品の販売情報を処理中か否か，つまりは接客中か否かが判断される。そして処理中，つまりは接客中であった場合には、当該客が購入する全ての商品の販売情報が処理される，つまりは接客が終了するのを待って、冷却ファンの故障を報知する警告メッセージのポップアップ画面がディスプレイ４に表示される。したがって、接客中にファン１３または２１６が停止しても、処理が強制的に中止されることはなく、接客を完了できるので、接客途中の客に迷惑を及ぼすことはない。通常、１客の商取引に要する時間は長くても数分であり、この間、ファンが停止していても本体内の温度が急激に上昇することはないので、ＣＰＵ２０１の熱暴走を引き起こす危険性はなく安全である。
【００４２】
ところで、接客完了後に表示される警告メッセージのポップアップ画面によりファン１３または２１６が停止したことを確認したオペレータは、例えばクリアキーを押下して警告を解除する。そうすると、当該ＰＯＳ端末では、次の客が購入する商品の販売情報処理が可能となる。そこでオペレータは、次の客が会計を待っている場合には、この客との商取引を開始することができる。この場合、この客が購入する全ての商品の販売情報が処理されるまでは、冷却ファンの故障を報知する警告メッセージのポップアップ画面がディスプレイ４に表示されないので、処理に支障をきたすことは無い。また、商取引の処理を終了する毎に上記警告メッセージのポップアップ画面がディスプレイ４に表示されて警告がなされるので、オペレータは、ファン１３または２１６が停止していることを忘れてしまうことがない。その後、客が途絶えたならば、オペレータは電源スイッチ５をオフ操作して修理に備えればよい。このように、接客を行っていたオペレータは、ファン１３または２１６が停止する故障が発生したことを確実に知ることができる上、そのときの店内の状況に即した的確な対応を容易に取ることができる。
【００４３】
一方、ファン１３または２１６が停止したまま長時間稼動し続けると、本体内の温度Ｄが上昇する。そして、本体内の温度Ｄが予め設定されたしきい値温度ＳＨＬを超えると、本実施の形態では、本体内温度が異常温度まで上昇したことを知らせる温度異常情報が、予め通知先として設定された外部コンピュータシステムにネットワークを介して送信される。したがって、例えば保守サーバシステムを通知先として予め設定しておくことによって、本体内温度が異常温度まで上昇した場合には、即座に保守サーバシステム側に温度上昇を通知することができるので、サービスマンによる迅速な対応が期待できる。
【００４４】
また、稼働中に本体内の温度Ｄがしきい値温度ＳＨＬを超えると、客が購入する商品の販売情報を処理中か否か，つまりは接客中か否かが判断される。そして処理中，つまりは接客中であった場合には、当該客が購入する全ての商品の販売情報が処理される，つまりは接客が終了するのを待って、温度異常を報知する警告メッセージのポップアップ画面がディスプレイ４に表示される。したがって、接客中に本体内温度Ｄがしきい値温度ＳＨＬを超えても、処理が強制的に中止されることはなく、接客を完了できるので、接客途中の客に迷惑を及ぼすことはない。通常、１客の商取引に要する時間は長くても数分であるので、この間にＣＰＵ２０１が熱暴走を起こすおそれのない適正な温度をしきい値温度ＳＨＬとして設定することにより、接客が終了するのを待って警告してもＣＰＵ２０１の熱暴走を引き起こす危険性はなく安全である。
【００４５】
しかも、接客を終えると自動的に警告が報知されるので、接客を行っていたオペレータは、本体内温度Ｄが異常温度まで上昇したことを確実に知ることができる。この場合、オペレータは、警告を解除するためにクリアキーを操作する。あるいは一定時間以上何も操作をしない。そうすると，自動的にシャットダウン処理が実行される。したがって、ＣＰＵ２０１が熱暴走を引き起こすような温度まで上昇する前に、ＰＯＳ端末を確実にシャットダウンさせることができ、安全である。
【００４６】
なお、この発明は前記実施形態そのままに限定されるものではなく、実施段階ではその要旨を逸脱しない範囲で構成要素を変形して具体化できる。  
例えば前記実施の形態では、コンピュータ部２の温度上昇を招く原因となるハードウェアの故障を監視する故障監視手段として本体ファン１３及びＣＰＵファン２１６の駆動を監視したが、他にコンピュータ部２の温度上昇を招く原因となるハードウェアが装置内にあるならばそれを監視して、故障を検知するようにすればよい。
【００４７】
また、客が購入する商品の販売情報を処理中か否かを判断する処理判断手段として登録中フラグの状態をチェックする手段を示したが、判断手段はこれに限定されるものではなく、例えば１商取引のトランザクションデータを一時的に蓄えるメモリの状態をチェックし、当該メモリにトランザクションデータが格納されていたならば商品販売情報の処理中と判断してもよい。
【００４８】
また、本発明はＰＯＳ端末に限定されるものではなく、電子式キャッシュレジスタや電子料金秤等の商品情報処理装置全般に適用できるものである。  
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００４９】
【図１】本発明の一実施の形態であるＰＯＳ端末の要部構成を示すブロック図。
【図２】同ＰＯＳ端末のＣＰＵが実行するファン停止検知処理の要部処理手順を示す流れ図。
【図３】同ＰＯＳ端末のＣＰＵが実行する本体内温度監視処理の要部処理手順を示す流れ図。
【図４】ファン停止時の警告メッセージポップアップ画面の一例を示す模式図。
【図５】温度異常時の警告メッセージポップアップ画面の一例を示す模式図。
【符号の説明】
【００５０】
１…本体、２…コンピュータ部、３…キーボード、４…ディスプレイ、５…電源スイッチ、１２…ブザー、１３…本体ファン、１４…温度センサ、１５，１６…ファンセンサ、２０１…ＣＰＵ、２１６…ＣＰＵファン。
【図１】
2006331282.tif 000003
【図２】
2006331282.tif 000004
【図３】
2006331282.tif 000005
【図４】
2006331282.tif 000006
【図５】
2006331282.tif 000007